(57)【要約】【課題】  ノックダウン式に現場で組み立てて設置する際に、運搬や組み立て作業を効率的に行うことができ、すっきりとしたデザインに設計できる組立式階段を提供すること。【解決手段】  階段の構成部材に、金属製の側桁部材１・１と；段板部材２・２…と；前記側桁部材１・１に固定される金属製の第一支柱部材31・31…を備えた手摺部材３と；壁面Ｗに固定される金属製の片持梁部材４とを含む一方、前記側桁部材１については、設置状態で分割ラインＬの方向が鉛直方向を向くように長さ方向に分割して構成すると共に、各分割パーツＰ・Ｐの分割ラインＬ側の端部に、それぞれ固定用凸部11・11を外側に向かって形成して分割パーツＰ・Ｐ同士を連結可能とし、更に前記片持梁部材４には、上面側に設置状態の側桁部材１の下面に沿う傾斜面を備えた支持凸部41・41を形成した。【選択図】  図１
2019105032.tif 000002
【特許請求の範囲】
【請求項１】
構成部材を現場で組み立てて設置可能な組立式階段であって、
前記階段の構成部材に、左右一対で構成された金属製の側桁部材(１)(１)と；これら側桁部材(１)(１)間に所定間隔で配置される段板部材(２)(２)…と；前記側桁部材(１)(１)に固定される金属製の第一支柱部材(31)(31)…、及びこれら第一支柱部材(31)(31)…上に架け渡される笠木部材(32)から成る手摺部材(３)と；壁面(Ｗ)に固定される金属製の片持梁部材(４)とが含まれる一方、
前記側桁部材(１)については、設置状態で分割ライン(Ｌ)の方向が鉛直方向を向くように長さ方向に分割して構成されると共に、各分割パーツ(Ｐ)(Ｐ)の分割ライン(Ｌ)側の端部に、それぞれ固定用凸部(11)(11)が内側に向かって形成されて、これら固定用凸部(11)(11)間に、分割ライン(Ｌ)に沿って配置された前記第一支柱部材(31)を挟み込んで固定することにより、分割パーツ(Ｐ)(Ｐ)同士が連結可能となっており、
更に前記片持梁部材(４)には、上面側に設置状態の側桁部材(１)の下面に沿う傾斜面を備えた支持凸部(41)(41)が形成されて、この支持凸部(41)の傾斜面上に前記分割ライン(Ｌ)を配置した状態で、側桁部材(１)が片持梁部材(４)上に載置可能となっていることを特徴とする組立式階段。
【請求項２】
片持梁部材(４)の支持凸部(41)(41)が、角柱型の金属棒材から成る梁本体の両側上面にそれぞれ三角形状の金属板を固定して形成されていることを特徴とする請求項１記載の組立式階段。
【請求項３】
構成部材を現場で組み立てて設置可能な組立式階段であって、
前記階段の構成部材に、左右一対で構成された金属製の側桁部材(１)(１)と；これら側桁部材(１)(１)間に所定間隔で配置される段板部材(２)(２)…と；前記側桁部材(１)(１)に固定される金属製の第一支柱部材(31)(31)、及び床(Ｆ)と側桁部材(１)の両方に固定される第一支柱部材(31)よりも長尺な金属製の第二支柱部材(33)、及びこれら第一支柱部材(31)(31)と第二支柱部材(33)上に架け渡される笠木部材(32)から成る手摺部材(４)とが含まれる一方、
前記側桁部材(１)については、設置状態で分割ライン(Ｌ)の方向が鉛直方向を向くように長さ方向に分割して構成されると共に、各分割パーツ(Ｐ)(Ｐ)の分割ライン(Ｌ)側の端部に、それぞれ固定用凸部(11)(11)が外側に向かって形成されて、これら固定用凸部(11)(11)間に、分割ライン(Ｌ)に沿って配置された前記第二支柱部材(33)を挟み込んで固定することにより、分割パーツ(Ｐ)(Ｐ)同士が連結可能となっていることを特徴とする組立式階段。
【請求項４】
側桁部材(１)の固定用凸部(11)と段板受け部(12)が金属板から構成されると共に、これらの金属板を側桁部材(１)の本体部分に溶接一体化して固定用凸部(11)や段板受け部(12)が設けられていることを特徴とする請求項１〜３の何れか一つに記載の組立式階段。
【請求項５】
側桁部材(１)の各分割パーツ(Ｐ)(Ｐ)の連結部位において、段板受け部(12)が分割ライン(Ｌ)を挟んで左右に分割されると共に、分割された各部位に段板部材(２)がそれぞれ固定可能となっていることを特徴とする請求項１〜４の何れか一つに記載の組立式階段。
【発明の詳細な説明】
【技術分野】
【０００１】
本発明は、組立式階段の改良、詳しくは、ノックダウン式に現場で組み立てて設置できるだけでなく、運搬や組み立て作業を効率的に行うことができ、また強度面や耐久性にも優れ、すっきりとしたデザインに設計できる組立式階段に関するものである。
【背景技術】
【０００２】
周知のとおり、複数階建ての住宅等においては下階から上階へ上がるための階段が設置されるが、近年においては木製フレームの階段だけでなく、金属製フレームを用いた階段も多く、特に金属製フレームを用いた階段は、デザイン上、洋風住宅との相性が良いだけでなく、カラーバリエーションも豊富というメリットがある。
【０００３】
一方、上記金属製フレームを用いた階段の設置に関しては、溶接作業の技巧を持たない建築業者が構成部品を溶接して組み立てることは難しく、また溶接業者への組み立て依頼も時間やコストの面で悪条件となるため、構成部品をボルト・ナットやネジ留め等の方法でノックダウン式に現場で組み立てる方法が従来から知られている。
【０００４】
しかしながら、上記金属製フレームを用いた階段の設置の際には、構成部品の中で一番長尺で重量も大きい側桁部材を運搬するのに手間がかかるだけでなく、長尺の側桁部材を持ち上げて下階から上階まで架け渡す組み立て作業に多くの人手を確保しなければならない等、運搬や組み立て作業を効率的に行うことが難しい。
【０００５】
そのため、従来においては、上記側桁部材を長さ方向に複数に分割し、分割したパーツ同士を棒状の上部フレームと下部フレームによって連結する技術が提案されているが(特許文献１参照)、この技術に関しては、連結用の上下フレームによって構成部品の数が増えるだけでなく、階段のデザインが重厚な印象になり易いという欠点がある。
【０００６】
また従来においては、分割した側桁部材のパーツ同士を連結板と段板部材によって連結する技術も公知となっているが(特許文献２参照)、この技術に関しても、連結板によって構成部品の数が増えるだけでなく、分割パーツ同士の連結部分にかかる負荷が連結板や段板部材のネジ留め部に集中してしまうため、強度や耐久性の面で不安がある。
【先行技術文献】
【特許文献】
【０００７】
【特許文献１】特開平１−１４４６３号公報
【特許文献２】特開２０１７−４３９４０号公報
【発明の概要】
【発明が解決しようとする課題】
【０００８】
本発明は、上記の如き問題に鑑みて為されたものであり、その目的とするところは、ノックダウン式に現場で組み立てて設置する際に、運搬や組み立て作業を効率的に行うことができ、また構成部品の数も最小限に抑えることが可能で、しかも、強度面や耐久性にも優れ、すっきりとしたデザインに設計できる組立式階段を提供することにある。
【課題を解決するための手段】
【０００９】
本発明者が上記課題を解決するために採用した手段を添付図面を参照して説明すれば次のとおりである。
【００１０】
即ち、本発明は、構成部材を現場で組み立てて設置可能な組立式階段において、前記階段の構成部材に、左右一対で構成された金属製の側桁部材１・１と；これら側桁部材１・１間に所定間隔で配置される段板部材２・２…と；前記側桁部材１・１に固定される金属製の第一支柱部材31・31…、及びこれら第一支柱部材31・31…上に架け渡される笠木部材32から成る手摺部材３と；壁面Ｗに固定される金属製の片持梁部材４とを含む一方、前記側桁部材１については、設置状態で分割ラインＬの方向が鉛直方向を向くように長さ方向に分割して構成すると共に、各分割パーツＰ・Ｐの分割ラインＬ側の端部に、それぞれ固定用凸部11・11を内側に向かって形成して、これら固定用凸部11・11間に、分割ラインＬに沿って配置された前記第一支柱部材31を挟み込んで固定することにより、分割パーツＰ・Ｐ同士を連結可能とし、更に前記片持梁部材４には、上面側に設置状態の側桁部材１の下面に沿う傾斜面を備えた支持凸部41・41を形成して、この支持凸部41の傾斜面上に前記分割ラインＬを配置した状態で、側桁部材１を片持梁部材４上に載置可能とした点に特徴がある。
【００１１】
また上記片持梁部材４の支持凸部41・41については、角柱型の金属棒材から成る梁本体の両側上面にそれぞれ三角形状の金属板を固定して部分的に形成することにより、梁本体全体に連続した支持凸部を設けるよりも重量を低減できる。
【００１２】
また本発明においては、上記構成に代えて、階段の構成部材に、左右一対で構成された金属製の側桁部材１・１と；これら側桁部材１・１間に所定間隔で配置される段板部材２・２…と；前記側桁部材１・１に固定される金属製の第一支柱部材31・31、及び床Ｆと側桁部材１の両方に固定される第一支柱部材31よりも長尺な金属製の第二支柱部材33、及びこれら第一支柱部材31・31と第二支柱部材33上に架け渡される笠木部材32から成る手摺部材４とを含む一方、前記側桁部材１については、設置状態で分割ラインＬの方向が鉛直方向を向くように長さ方向に分割して構成すると共に、各分割パーツＰ・Ｐの分割ラインＬ側の端部に、それぞれ固定用凸部11・11を外側に向かって形成して、これら固定用凸部11・11間に、分割ラインＬに沿って配置された前記第二支柱部材33を挟み込んで固定することにより、分割パーツＰ・Ｐ同士を連結可能とすることもできる。
【００１３】
また上記側桁部材１の固定用凸部11と段板受け部12については、それぞれを金属板から構成して側桁部材１の本体部分に溶接一体化することで、最低限の重量の増加に抑えつつ耐久性に優れた構造で各部位を形成できる。
【００１４】
また上記側桁部材１の各分割パーツＰ・Ｐの連結部位においては、分割ラインＬを挟んで段板受け部12を左右に分割して設けると共に、分割された各部位に段板部材２をそれぞれ固定可能とすることで、段板部材２を介して分割パーツＰ・Ｐ同士を連結することもできる。
【発明の効果】
【００１５】
本発明においては、階段の側桁部材を長さ方向に分割して、分割したパーツの連結部位近傍に固定用凸部をそれぞれ設け、これら固定用凸部間に手摺の支柱部材を挟み込んで固定可能としたことにより、階段をノックダウン式に現場で組み立てられるだけでなく、構成部品の運搬や組み立て作業を少ない人手で効率的に行うことができる。
【００１６】
また本発明では、側桁部材の分割パーツ同士を固定用凸部と手摺の支柱部材によって連結したことにより、従来技術の上下フレームや連結板等の別個の連結部材を用意する必要もないため、構成部品の数を最小限に抑えることができ、また階段のデザインも多くの部材が外観上に表れないすっきりとした印象に仕上げることができる。
【００１７】
しかも、本発明においては、上記側桁部材の分割ラインを鉛直方向に形成すると共に、その分割ラインの真下に片持梁を設け、更にこの片持梁の両端に支持用凸部を設けて、この支持用凸部の上面を側桁部材の下面に沿わせているため、分割パーツ同士の連結部分にかかる負荷を片持梁に分散させて固定用凸部にかかる負荷を抑制できる。
【００１８】
一方、本発明においては、上記分割ラインの真下に片持梁を設ける構成に代えて、床面に固定可能な長尺の手摺の支柱部材を使用して、これを分割ラインに沿って配置することもでき、その場合には、分割パーツ同士の連結部分にかかる負荷を手摺の支柱部材と床面の固定部分に分散させることができるため、固定用凸部にかかる負荷を抑制できる。
【００１９】
したがって、本発明では、金属製フレームを用いた階段の設置作業を効率良くかつ低コストに行うことができ、またデザイン面でも洗練された内装にマッチさせることができ、しかも、長期的に使用する上で安全性の条件も満たした組立式階段を提供することができることから、本発明の実用的利用価値は非常に高い。
【図面の簡単な説明】
【００２０】
【図１】本発明の実施例１における組立式階段を表わす全体側面図である。
【図２】本発明の実施例１における組立式階段を表わす平面図、Ｘ1-Ｘ1’断面図、及び底面図である。
【図３】本発明の実施例１における側桁部材の連結構造を表わす拡大斜視図である。
【図４】本発明の実施例１における側桁部材の連結構造を表わす拡大側面図である。
【図５】本発明の実施例１における片持部材を表わす斜視図である。
【図６】本発明の実施例２における組立式階段を表わす全体側面図である。
【図７】本発明の実施例２における組立式階段を表わす平面図、Ｘ1-Ｘ1’断面図、及び底面図である。
【図８】本発明の実施例２における側桁部材の連結構造を表わす拡大斜視図である。
【図９】本発明の実施例２における側桁部材の連結構造を表わす説明図である。
【発明を実施するための形態】
【００２１】
『実施例１』
本発明の実施例１について、図１〜図５に基いて以下に説明する。なお同図において、符号１で指示するものは、側桁部材であり、符号２で指示するものは、段板部材である。また符号３で指示するものは、第一支柱部材であり、符号４で指示するものは、片持梁部材である。
【００２２】
「組立式階段の構成」
[１]組立式階段の基本構成について
この実施例１では、図１及び図２に示すように、左右一対で構成された金属製の側桁部材１・１の間に段板部材２・２…を上下方向に所定間隔で配置して階段を構成している。また側桁部材１・１の設置は、下端側を下階側の床面Ｆ上に接地させて固定し、上端側を上階側の床構造材の側面に固定して行っている。また側桁部材１は、設置状態で分割ラインＬの方向が鉛直方向を向くように長さ方向に分割して構成している。
【００２３】
また上記側桁部材１・１の内側の側面には、図１に示すように階段の手摺部材３の支持部分となる金属製の第一支柱部材31・31…を所定間隔で配置して固定し、その内の一つを上記分割された側桁部材１・１の分割ラインＬに沿って配置している。また手摺部材３全体は、側桁部材１・１に固定された複数の第一支柱部材31・31…上に笠木部材32を架け渡して構成している。
【００２４】
また上記側枠部材１を構成する各分割パーツＰ・Ｐには、図３及び図４に示すように、分割ラインＬ側の端部に、それぞれ固定用凸部11・11を内側に向かって形成し、これら固定用凸部11・11間に、分割ラインＬに沿って配置された第一支柱部材31を挟み込んで固定している。これにより図１に示すように側枠部材１の分割パーツＰ・Ｐ同士を下階から上階に向かって直線状に繋いだ状態で連結している。
【００２５】
また本実施例では、図３に示すように上記側桁部材１・１を壁面Ｗに沿って設置すると共に、この側桁部材１が隣接する壁面Ｗに、金属製の片持梁部材４を図５に示すように水平方向に固定している。また片持梁部材４の上面側には、設置状態の側桁部材１の下面に沿う傾斜面を備えた支持凸部41・41を形成して、側桁部材１を、図４に示すように支持凸部41の傾斜面上に分割ラインＬを配置した状態で載置している。
【００２６】
上記の構成を採用したことにより、階段を分解・組立可能に構成して現場で構成部材を組み立てて簡単に設置できるだけでなく、複数に分割された側桁部材１の連結部分にかかる負荷を片持梁部材４によって軽減することもできる。特に片持梁部材４の支持凸部41を、側枠部材１の分割ラインＬの真下に配置して両者を線接触させることで負荷の軽減効果を高めることができる。
【００２７】
[２]側桁部材について
《側桁部材の全体構成》
次に上記組立式階段の各構成要素について説明する。まず上記側桁部材１に関しては、図１〜図３に示すように、細長い板状の本体部分と、本体部分の上下部位および分割パーツＰ・Ｐの連結部位にそれぞれ形成された固定用凸部11・11と、段板部材２・２…を載置固定するための段板受け部12・12…とから構成している。また側桁部材１の本体部分には、下階側の床面Ｆに固定する下端部を下方に屈曲した形状で、また上階側の床構成部材の側面に固定する上端部を水平方向に屈曲した形状で形成している。
【００２８】
《連結部位の段板受け部》
また本実施例では、上記側桁部材１の分割パーツＰ・Ｐの連結部位において、図３及び図４に示すように分割ラインＬを挟むように段板受け部12を左右に分割して、分割されたそれぞれの部位に段板部材２をネジ留めにより固定しているため、段板部材２を介して分割パーツＰ・Ｐ同士を連結する効果も得られる。
【００２９】
《側桁部材の材料》
また本実施例では、上記側桁部材１の本体部分、固定用凸部11及び段板受け部12・12…を全て金属材料から構成して本体部分と固定用凸部11・11、及び本体部分と段板受け部12・12…を溶接により一体化している。なお固定用凸部11・11と段板受け部12・12…を別部材で構成して本体部分にネジ留め等により固定することもできる。また本実施例では、金属材料としてステンレス鋼を採用しているが、建築構造用に用いられる金属材料であれば他の材料(例えば、アルミニウム等)を採用することもできる。
【００３０】
《固定用凸部の形状と配置》
また本実施例では、上記側桁部材１の固定用凸部11・11を、図３及び図４に示すように固定される段板部材２の上側にのみ形成しているが、固定される段板部材２の上側と下側の両方に固定用凸部11・11を形成することもできる(図示せず)。また固定用凸部11・11の形状に関しても、本実施例では第一支柱部材31の一側面に接触する平板状としているが、第一支柱部材31の二側面に接触する断面Ｌ型の板状とすることもできる。
【００３１】
《側桁部材の形態の変更例》
また本実施例では、図１及び図２に示すように、側桁部材１の段板受け部12・12…で段板部材２・２…を下側から支える構造としているが、側桁部材１の本体上面を段形状として、この段部に段板部材２・２…を載置固定することにより段板部材２・２…を下側から支える構造(「ささら桁」とも呼ばれる)とすることもできる。また側桁部材１に段板受け部12・12…を設けずに段板部材２・２の端面を本体部分に直接ネジ留め等で固定することもできる。また側桁部材１は、３つ以上に分割して構成することもできる。
【００３２】
[３]段板部材について
また上記段板部材２に関しては、本実施例では、金属材料から成るベース板上に木板を載置固定したものを採用しているが、階段の段板として使用できる板状のものであれば、剛性の高い金属枠体に木板を嵌め込んだものや、金属板や木板の単体から成るもの、その他、材料として木質プラスチック等を使用したものを採用することができる。
【００３３】
[４]手摺部材について
また上記手摺部材３に関しては、図２に示すように全ての第一支柱部材31を側桁部材１の固定用凸部11に固定して取り付けている。また本実施例では、第一支柱部材31と笠木部材32の両方を金属材料から構成しているが、笠木部材32の材料としては、木材やプラスチック材料などを採用することもできる。また本実施例では、第一支柱部材31・31…を側桁部材１の下側、上下中央、上側の３カ所に配置しているが、第一支柱部材31・31…の本数や間隔は適宜変更できる。また第一支柱部材31の形状も、本実施例では断面形状が四角形の角柱型としているが多角柱型や円柱型とすることもできる。
【００３４】
[５]片持梁部材について
また上記片持梁部材４に関しては、本実施例では、図５に示すように角柱型の金属棒材から成る梁本体の両側上面に三角形状の金属板を溶接一体化して支持凸部41・41を形成しているが、角柱型の梁本体の上面に三角柱型の棒材を固定して長さ方向に連続した支持凸部41を形成することもできる。また片持梁部材４の梁本体に、断面形状が台形状の金属棒材を使用して支持凸部41を設けることもできる。
【００３５】
『実施例２』
「組立式階段の構成」
[１]組立式階段の基本構成について
本発明の実施例２について、図６〜図９に基いて以下に説明する。この実施例２では、図６及び図７に示すように、手摺部材３の支持部分として、側桁部材１・１のみに固定する第一支柱部材31・31に加え、この第一支柱部材31よりも長尺な金属製の第二支柱部材33を使用して、この第二支柱部材33を床Ｆと側桁部材１の両方に固定して階段を構成している。また側桁部材１の各分割パーツＰ・Ｐの分割ラインＬ側の端部には、図８に示すように固定用凸部11・11を外側に向かって形成している。
【００３６】
そして、上記各分割パーツＰ・Ｐの端部に設けた固定用凸部11・11間には、図９に示すように、分割ラインＬに沿って配置した第二支柱部材33を挟み込んだ状態でボルト留めして固定することにより分割パーツＰ・Ｐ同士を連結している。これにより実施例１と同様、構成部材を現場で組み立てて階段を簡単に設置できるだけでなく、側桁部材１の連結部分にかかる負荷を床に固定した第二支柱部材33によって軽減することができる。
【００３７】
[２]側桁部材と段板部材について
次に上記組立式階段の各構成要素について説明する。まず側桁部材１に関しては、図６及び図７に示すように、本体部分の上下部位にも固定用凸部11・11を外側に向かって形成し、これらの各固定用凸部11・11に第一支柱部材31・31をそれぞれ固定している。その他の条件については実施例１と同様である。
【００３８】
[３]手摺部材について
また上記手摺部材３に関しては、第二支柱部材33の下端部に床面Ｆに固定するための板状の土台部を設けている。また第二支柱部材33の形状も、本実施例では断面形状が四角形の角柱型としているが多角柱型や円柱型とすることもできる。その他の条件については、実施例１と同様である。
【符号の説明】
【００３９】
１  側桁部材
11  固定用凸部
12  段板受け部
２  段板部材
３  手摺部材
31  第一支柱部材
32  笠木部材
33  第二支柱部材
４  片持梁部材
41  支持凸部
Ｐ  分割パーツ
Ｌ  分割ライン
Ｆ  床面
【図１】
2019105032.tif 000003
【図２】
2019105032.tif 000004
【図３】
2019105032.tif 000005
【図４】
2019105032.tif 000006
【図５】
2019105032.tif 000007
【図６】
2019105032.tif 000008
【図７】
2019105032.tif 000009
【図８】
2019105032.tif 000010
【図９】
2019105032.tif 000011
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
構成部材を現場で組み立てて設置可能な組立式階段であって、
前記階段の構成部材に、左右一対で構成された金属製の側桁部材(１)(１)と；これら側桁部材(１)(１)間に所定間隔で配置される段板部材(２)(２)…と；前記側桁部材(１)(１)に固定される金属製の第一支柱部材(31)(31)…、及びこれら第一支柱部材(31)(31)…上に架け渡される笠木部材(32)から成る手摺部材(３)と；壁面(Ｗ)に固定される金属製の片持梁部材(４)とが含まれる一方、
前記側桁部材(１)については、設置状態で分割ライン(Ｌ)の方向が鉛直方向を向くように長さ方向に分割して構成されると共に、各分割パーツ(Ｐ)(Ｐ)の分割ライン(Ｌ)側の端部に、それぞれ固定用凸部(11)(11)が内側に向かって形成されて、これら固定用凸部(11)(11)間に、分割ライン(Ｌ)に沿って配置された前記第一支柱部材(31)を挟み込んで固定することにより、分割パーツ(Ｐ)(Ｐ)同士が連結可能となっており、
更に前記片持梁部材(４)には、上面側に設置状態の側桁部材(１)の下面に沿う傾斜面を備えた支持凸部(41)(41)が形成されて、この支持凸部(41)の傾斜面上に前記分割ライン(Ｌ)を配置した状態で、側桁部材(１)が片持梁部材(４)上に載置可能となっていることを特徴とする組立式階段。
【請求項２】
片持梁部材(４)の支持凸部(41)(41)が、角柱型の金属棒材から成る梁本体の両側上面にそれぞれ三角形状の金属板を固定して形成されていることを特徴とする請求項１記載の組立式階段。
【請求項３】
構成部材を現場で組み立てて設置可能な組立式階段であって、
前記階段の構成部材に、左右一対で構成された金属製の側桁部材(１)(１)と；これら側桁部材(１)(１)間に所定間隔で配置される段板部材(２)(２)…と；前記側桁部材(１)(１)に固定される金属製の第一支柱部材(31)(31)、及び床(Ｆ)と側桁部材(１)の両方に固定される第一支柱部材(31)よりも長尺な金属製の第二支柱部材(33)、及びこれら第一支柱部材(31)(31)と第二支柱部材(33)上に架け渡される笠木部材(32)から成る手摺部材(３)とが含まれる一方、
前記側桁部材(１)については、設置状態で分割ライン(Ｌ)の方向が鉛直方向を向くように長さ方向に分割して構成されると共に、各分割パーツ(Ｐ)(Ｐ)の分割ライン(Ｌ)側の端部に、それぞれ固定用凸部(11)(11)が外側に向かって形成されて、これら固定用凸部(11)(11)間に、分割ライン(Ｌ)に沿って配置された前記第二支柱部材(33)を挟み込んで固定することにより、分割パーツ(Ｐ)(Ｐ)同士が連結可能となっていることを特徴とする組立式階段。
【請求項４】
側桁部材(１)の固定用凸部(11)と段板受け部(12)が金属板から構成されると共に、これらの金属板を側桁部材(１)の本体部分に溶接一体化して固定用凸部(11)や段板受け部(12)が設けられていることを特徴とする請求項１〜３の何れか一つに記載の組立式階段。
【請求項５】
側桁部材(１)の各分割パーツ(Ｐ)(Ｐ)の連結部位において、段板受け部(12)が分割ライン(Ｌ)を挟んで左右に分割されると共に、分割された各部位に段板部材(２)がそれぞれ固定可能となっていることを特徴とする請求項１〜４の何れか一つに記載の組立式階段。
【手続補正２】
【補正対象書類名】明細書
【補正対象項目名】００１２
【補正方法】変更
【補正の内容】
【００１２】
また本発明においては、上記構成に代えて、階段の構成部材に、左右一対で構成された金属製の側桁部材１・１と；これら側桁部材１・１間に所定間隔で配置される段板部材２・２…と；前記側桁部材１・１に固定される金属製の第一支柱部材31・31、及び床Ｆと側桁部材１の両方に固定される第一支柱部材31よりも長尺な金属製の第二支柱部材33、及びこれら第一支柱部材31・31と第二支柱部材33上に架け渡される笠木部材32から成る手摺部材３とを含む一方、前記側桁部材１については、設置状態で分割ラインＬの方向が鉛直方向を向くように長さ方向に分割して構成すると共に、各分割パーツＰ・Ｐの分割ラインＬ側の端部に、それぞれ固定用凸部11・11を外側に向かって形成して、これら固定用凸部11・11間に、分割ラインＬに沿って配置された前記第二支柱部材33を挟み込んで固定することにより、分割パーツＰ・Ｐ同士を連結可能とすることもできる。